(57)【特許請求の範囲】
【請求項１】
一定の幅に連続して編織された本体テープと、該本体テープの少なくとも一部を被覆する幅に連続して編織された被覆テープとからなり、被覆テープが本体テープ上に平行に重ねられ、その片側縁部が本体テープに連結され、残りの部分が本体テープから分離してフラップを形成していることを特徴とする二重テープ。
【請求項２】
本体テープおよび被覆テープがダブルラッシェル機で編成された二重編地からなり、被覆テープの本体テープに対する連結部が本体テープの片側の縁よりも内側に位置している請求項１記載の二重テープ。
【請求項３】
本体テープが幅方向中央のメッシュ部と該メッシュ部を挟む両側の緻密部とからなり、被覆テープが緻密部によって本体テープのメッシュ部を被覆するように形成されている請求項２記載の二重テープ。
【請求項４】
本体テープのメッシュ部が２本以上、その間に緻密部を挟んで緻密部と交互に設けられており、被覆テープが上記のメッシュ部ごとに個別に設けられている請求項３記載の二重テープ。
【請求項５】
隣接する被覆テープの本体テープに対する連結部が互いに反対側に位置する請求項４記載の二重テープ。
【発明の詳細な説明】
【０００１】
【発明の属する技術分野】
この発明は、表裏２枚重ねの構造を有し、上着、ズボン、スカート等の衣服および帽子その他の繊維製品の構成部品として使用することができる二重テープに関するものである。
【０００２】
【従来の技術】
衣服に設ける通風手段として、例えば上着の背部に横長または縦長の開口部を形成し、この開口部に該開口部を塞ぐ帯状のネットを縫着し、かつ開口部の片側の縁に上着と同じ材質の覆い布をフラップ状に縫着して開口部のネットを覆うようにしたものが知られいる。この公知の通風手段は、衣服に形成した開口部にネットの縁を縫着し、更に覆い布を縫着するので、縫着部が多くなり、しかもネットが寸法安定性に乏しいため、その取付けが面倒で、手間がかかっていた。
【０００３】
また、衣服の開閉手段として、スライドフアスナーが知られているが、その取付けに際しては、スライドフアスナーを構成する２本の布テープをそれぞれ衣服の前立て等に縫着し、更に２本の布テープの結合部に設けられている務歯列を覆うためのフラップを衣服本体に取付ける必要があるため、その取付けが面倒で、手間がかかっていた。
【０００４】
【発明が解決しようとする課題】
この発明は、上記通風手段のネットやスライドファスナーの布テープのように、衣服への取付け後に被覆のためのフラップを必要とするものにおいて、その縫着の手間を軽減し、かつファッション性を高めることを可能にするものである。
【０００５】
【課題を解決するための手段】
この発明に係る二重テープは、一定の幅に連続して編織された本体テープと、該本体テープの少なくとも一部を被覆する幅に連続して編織された被覆テープとからなり、被覆テープが本体テープ上に平行に重ねられ、その片側縁部が本体テープに連結され、残りの部分が本体テープから分離してフラップを形成していることを特徴とする。
【０００６】
上記の二重テープは、その使用目的に応じて本体テープおよび被覆テープの各構成糸および組織を任意に選択できるが、所望の長さに切断し、その片側もしくは両側の側縁、または全周を衣服その他の繊維製品の構成部品として縫着、固定することにより、被覆テープが上記の繊維製品に自動的に取付けられ、開閉自在のフラップを構成する。したがって、本体テープの中央部にあらかじめ通風用のメッシュや柄模様等を縦縞状に形成したり、片側の側縁にファスナー用の務歯を固定したりして本体テープに任意の機能を付与しておき、被覆テープの幅および本体テープに対する連結位置を、本体テープの所望位置を被覆できるように設定しておくことにより、従来必要としたフラップの縫着工程が不要となる。
【０００７】
そして、上記の被覆テープは、その片側縁部が本体テープに連結され、残りの部分が本体テープから分離してフラップを形成しているので、被覆テープが本体テープ上に重なって静止しているときは、本体テープの通風用メッシュ、柄模様または務歯等が被覆テープで被覆されるが、風その他の作用で被覆テープが本体テープから浮き上がると、上記の通風用メッシュや柄模様、務歯等が現われ、衣料等の外観が変化し、特に通風用メッシュを設けてある場合は、通風性が向上する。また、被覆テープに本体テープと異なる柄模様が形成されている場合は、衣料等の外観変化が一層複雑になる。
【０００８】
上記の被覆テープは、１枚の編織テープの片側または両側を平行に折り重ね、その折り目部分を接着または縫着して作ることができ、また本体テープと被覆テープとを個別に編織し、両者を重ねて被覆テープの片側縁部を接着または縫着して連結することもできるが、前後２列のニードルバーを備えたダブルラッシェル機を用いて二重編地として編成するのが有利である。すなわち、一方のニードルバーで本体テープを、他方のニードルバーで被覆テープをそれぞれ編成する。そして、被覆テープの本体テープに対する連結部を本体テープの片側の縁よりも内側に位置させることが好ましく、これによって本体テープのみの一重部分を衣服等に取付けることができ、その取付け作業が容易になる。
【０００９】
本体テープに通風用のメッシュ部を設ける場合、このメッシュ部は、１本または２本以上のいずれでもよいが、このメッシュ部を本体テープの幅方向中央部に形成し、このメッシュ部を挟む両側を緻密部に形成する一方、被覆テープ全体を緻密部で形成し、本体テープのメッシュ部を被覆できるように形成することが好ましく、これによって本体テープの衣服等に対する取付けが一層容易になる。
【００１０】
本体テープにメッシュ部を２本以上設ける場合は、これらメッシュ部の間に緻密部を介在させ、メッシュ部と緻密部とを交互に配置すると共に、被覆テープをメッシュ部ごとに個別に設けることが好ましい。この場合は、被覆テープのフラップがメッシュ部ごとに独立して動くことが可能になり、例えば、一方のメッシュ部を衣服外空気の吸入口として機能させ、他方のメッシュ部を衣服内空気の排出口として機能させることができる。
【００１１】
上記のように本体テープにメッシュ部を２本以上設け、そのメッシュ部ごとに被覆テープ（フラップ）を設ける場合は、隣接する被覆テープの本体テープに対する連結部が互いに反対側に位置させることが好ましい。すなわち、一方の被覆テープと他方の被覆テープの連結部同士を隣り合わせに接近させるか、または自由端同士を隣り合わせに接近させることが好ましく、これによって衣服内空気の換気作用が一層促進される。
【００１２】
なお、本体テープおよび被覆テープの編織に用いる糸条は、二重テープの用途に応じて任意の編織用繊維糸条を用いることができるが、綿糸、合成繊維紡績糸、合成繊維フィラメント糸、合成繊維の仮撚加工糸等が好ましく、特に前記のダブルラッシェル機を用いて編成する場合は、合成繊維のマルチフィラメント糸またはその仮撚加工糸が編み易さおよび風合いの点で好ましい。
【００１３】
【発明の実施の形態】
図１に示す二重テープ１０は、合成繊維のマルチフィラメント糸を編糸に用いてダブルラッシェル機で編成されたものである。本体テープ１１は、被覆テープ１２よりも広い幅に編成されており、幅方向中央のメッシュ部１１ａと、このメッシュ部１１ａを挟む両側の緻密部１１ｂとを備えている。一方、被覆テープ１２は、全体が緻密な組織で上記メッシュ部１１ａを被覆する幅に編成されており、その片側縁部１２ａが本体テープ１１のメッシュ部１１ａの片側縁部に連結されてフラップを構成し、外力が作用しないときは横に倒れてメッシュ部１１ａを被覆するようになっている。
【００１４】
上記図１の二重テープ１０の使用状態が図５に例示される。図５において、１３は衣服の前立てであり、左右の前立て１３にそれぞれ前記二重テープ１０の本体テープ１１の片側縁部が接合されている。なお、この本体テープ１１の反対側縁部には、あらかじめスライドファスナーの務歯１４が固定され、左右の本体テープ１１が一組のファスナーテープを構成している。そして、被覆テープ１２は、メッシュ部１１ａだけでなく務歯１４も被覆する幅に形成されている。したがって、本体テープ１１は、被覆テープ１２の連結部側が前立て１３に接合される。この場合、本体テープ１１の全体を被覆テープ１２と同様またはそれ以上に緻密な組織とすることもできる。
【００１５】
実施形態２
図２に示す二重テープ２０は、前記同様に合成繊維のマルチフィラメント糸を編糸に用いてダブルラッシェル機で編成されている。本体テープ２１は、２本のメッシュ部２１ａと３本の緻密部２１ｂとを交互に編成して形成される。一方、被覆テープ２２は、上記のメッシュ部２１ａに対応して２本設けられており、それぞれが緻密な組織で上記メッシュ部２１ａを被覆する幅に編成され、それぞれの片側縁部２２ａが本体テープ２１のメッシュ部２１ａの幅方向外側の縁部に連結されてフラップを構成し、２枚の被覆テープ（フラップ）の自由端同士が接近した形となる。
【００１６】
上記図２の二重テープ２０の使用状態が図６に例示される。図６において、２３は上着の後身頃であり、左右の袖ぐり２３ａにまたがって設けられた横長の開口部２３ｂの縁に上記二重テープ２０の本体テープ２１の外周が接合されて上記の開口部２３ｂが塞がれ、本体部２１のメッシュ部２１ａが風通口を構成し、外側に位置する上下２枚の被覆テープ２２が開閉自在のフラップを構成する。この上着を着用すると、上下に並ぶ２列のメッシュ部２１ａの一方が衣服内空気の排出口として、また他方が衣服外空気の吸入口として働き、衣服内空気を快適に保持することが可能になる。
【００１７】
図７は、前記図２の二重テープ２０をズボンに使用した例を示す。図７において、２４は前身頃、２５は後身頃であり、この前身頃２４と後身頃２５とをズボンの側面において上記の二重テープ２０を介して接合し、ズボンの側面にウエストから裾にまたがる長い前後２列のメッシュ部２１ａからなる風通口を形成し、その外側に被覆テープ（フラップ）２２を位置させる。この場合は、前後に並ぶ２列のメッシュ部２１ａの一方がズボン内空気の排出口として、また他方がズボン外空気の吸入口として働き、内部空気を快適に保持することが可能になる。
【００１８】
実施形態３
図３に示す二重テープ３０は、前記同様に合成繊維のマルチフィラメント糸を編糸に用いてダブルラッシェル機で編成されている。本体テープ３１は、実施形態２と同様に２本のメッシュ部３１ａと３本の緻密部３１ｂとを交互に編成して形成される。被覆テープ３２も、上記のメッシュ部３１ａに対応して２本設けられ、それぞれが緻密な組織で上記メッシュ部３１ａを被覆する幅に編成される。ただし、この実施形態３では、被覆テープ３２の片側縁部３２ａが本体テープ２１のメッシュ部３１ａの幅方向内側の縁部に連結され、２枚の被覆テープ（フラップ）３２の片側縁部（連結部）３２ａ同士が接近する形となる。なお、この実施形態３の二重テープ３０は、実施形態２と同様の使用が可能である。
【００１９】
実施形態４
図４に示す二重テープ４０は、前記同様に合成繊維のマルチフィラメント糸を編糸に用いてシングルニードルバーのラッシェル機で編成し、左右両側を上向きに折返し、折り目の内側を接着剤４３で接着固定して下側に１枚の本体テープ４１を、上側に左右２枚の被覆テープ（フラップ）４２を形成したものである。そして、編成時に本体テープ４１の左右両側がメッシュ部４１ａに形成され、その中間部４１ｂおよび両外側の被覆テープ４２となる部分がそれぞれ緻密に形成される。なお、この実施形態４の二重テープ４０も、実施形態２、３の二重テープ２０、３０と同様に使用することができる。
【００２０】
【発明の効果】
上記のとおり、この発明に係る二重テープは、所望の長さに切断し、衣服その他のフラップを必要とする繊維製品の構成部品として取付け、スライドファスナーのファスナーテープや衣服の通風手段等として使用することができる。しかも、本体テープに被覆テープがあらかじめフラップ状に連結されているので、あらためてフラップを取付ける必要がなく、上記衣服等の縫製が容易になると共に、本体テープおよび被覆テープにそれぞれ編織の組織や染色によって任意の柄模様を付与することができ、ファッション性も良好である。
【００２１】
特に請求項２に係る発明は、被覆テープの本体テープに対する取付け作業が不要で、衣服等の繊維製品に対する取付けが一層容易になる。また、請求項３に係る発明は、衣服等に通風口を形成する際の取付けが容易で、かつフラップを自動的に取付けることができる。また、請求項４に係る発明は、２列以上のフラップ付き通風口を容易に形成し、かつ衣服内空気を循環し易くすることができる。また、請求項５に係る発明によれば、上記衣服内空気の循環が一層容易になる。
【図面の簡単な説明】
【図１】実施形態１の斜視図である。
【図２】実施形態２の斜視図である。
【図３】実施形態３の斜視図である。
【図４】実施形態４の断面図である。
【図５】実施形態１を用いたファスナーの断面図である。
【図６】実施形態２を用いた上着の背面図である。
【図７】実施形態２を用いたズボンの側面図である。
【符号の説明】
１０、２０、３０、４０：二重テープ
１１、２１、３１、４１：本体テープ
１１ａ、２１ａ、３１ａ、４１ａ：メッシュ部
１１ｂ、２１ｂ、３１ｂ、４１ｂ：緻密部
１２、２２、３２、４２：被覆テープ
１２ａ、２２ａ、３２ａ：片側縁部（連結部）
１３：衣服の前立て
１４：務歯
２３：上着の後身頃
２３ａ：袖ぐり
２３ｂ：開口部
２４：ズボンの前身頃
２５：ズボンの後身頃
４３：接着剤
【図１】
0003583373.tif 000002
【図２】
0003583373.tif 000003
【図３】
0003583373.tif 000004
【図４】
0003583373.tif 000005
【図５】
0003583373.tif 000006
【図６】
0003583373.tif 000007
【図７】
0003583373.tif 000008